(57)【特許請求の範囲】
【請求項１】
ＬチャンネルおよびＲチャンネルのディジタル音声信号が入力するオーディオポートと、このオーディオポートから入力するディジタル音声信号をサンプリングするオーバーサンプリング回路と、このオーバーサンプリング回路の動作を制御するシリアルポートと、前記オーバーサンプリング回路からのディジタル音声信号をＬチャンネルとＲチャンネルとに分離するエンハンスマルチレベル回路と、このエンハンスマルチレベル回路からのＬチャンネルとＲチャンネルの各ディジタル音声信号をアナログ音声信号に変換するＤ／Ａコンバータと、このＤ／Ａコンバータからのアナログ音声信号を増幅するアンプと、このアンプの出力信号を濾波してＬチャンネルとＲチャンネルの音声信号出力端子に送出するフィルタとを有するオーディオＤＡＣ回路を備えたオーディオ装置において、
メモリに予め記憶されたオーディオデータを読み出して前記オーディオポートおよびシリアルポートに対し出力する音声信号出力部と、
装置全体を制御する制御手段と、
前記制御手段から入力する制御信号に応じた段階的な数値を設定して出力するレジスタ設定部と、
前記レジスタ設定部からの入力信号の数値に応じたビット数のディジタル信号を前記シリアルポートに対し出力して前記オーバーサンプリング回路の動作を制御するレジスタとを備え、
前記制御手段は、
電源投入であると判別したときに、前記音声信号出力部に対し前記メモリからオーディオデータを読み出して出力させ、この試験用信号として出力させたオーディオデータが前記オーディオＤＡＣ回路によって変換されたアナログ音声信号を、前記音声信号出力端子に接続されたＡ／Ｄ入力ポートから入力させてディジタル音声信号に変換し、この変換ディジタル音声信号のレベルと、自体のメモリに予め記憶されたディジタル基準値とを比較して、前記ディジタル基準値に対する前記変換ディジタル音声信号のレベルの差異を無くす数量データを示す前記制御信号を前記レジスタ設定部に対し出力することにより前記レジスタの設定を変更し、前記オーバーサンプリング回路を制御して前記音声信号出力端子に現れるアナログ音声信号のレベルを可変調整し、この調整制御を、前記音声信号出力端子に現れるアナログ音声信号が前記デジタル基準値に相当するレベルに達するまで継続するように構成されていることを特徴とするオーディオ装置。
【請求項２】
前記制御手段が、前記ＬチャンネルおよびＲチャンネルの各音声信号出力端子にそれぞれ現れるアナログ音声信号を個別のＡ／Ｄ入力ポートを介し入力させて、ＬチャンネルおよびＲチャンネルのアナログ音声信号をそれぞれ変換した各ディジタル音声信号のレベルと前記ディジタル基準値とを個別に比較して、そのＬチャンネルとＲチャンネルとの各レベルの差異に応じて前記レジスタの設定を変更するように構成されている請求項１に記載のオーディオ装置。
【請求項３】
前記ＬチャンネルおよびＲチャンネルの各音声信号出力端子と前記制御手段の各Ａ／Ｄ入力ポートとが配線基板に形成された配線パターンを介して接続されているとともに、前記配線パターンに切換スイッチが介挿接続され、
前記制御手段が、前記音声信号出力部に対しオーディオデータを試験用信号として出力させる指令を行うタイミングで前記切換スイッチに対し前記配線パターンが通電状態となるように切り換える制御信号を出力し、且つ前記音声信号出力部に対しオーディオデータの出力停止の指令を行うタイミングで前記切換スイッチに対し前記配線パターンが非通電状態となるように切り換える制御信号を出力するように構成されている請求項１または２に記載のオーディオ装置。
【発明の詳細な説明】
【０００１】
【発明の属する技術分野】
本発明は、ＣＤやＤＶＤ等の光ディスクを再生するオーディオ装置に係り、特に、製作時にアナログの音声出力信号を基準レベルに自動調整し得るオーディオ装置に関する。
【０００２】
【従来の技術】
ＣＤプレイヤーやＤＶＤプレイヤー等のＡＶ装置は、ディジタルの音声信号をアナログ信号に変換するＤ／Ａコンバータが内蔵されている。
このＤ／Ａコンバータを備えたＡＶ装置は、製作時に実装される回路素子の特性の違いや製作工程等に起因して仕上がり製品の出力性能にばらつきが生じ易いものである。
そこで、この不具合を回避すべく可変抵抗器により出力振幅を調整するものに、Ｄ／ＡコンバータＩＣ（特開平５−１９１２８７号公報）やＤ／Ａ変換装置（特開平５−１２９９５８号公報）が知られている。
また、定電圧電源の出力電圧を調整する一例として、Ｄ／Ａ変換装置（特開平６−１３２８２８号公報）が提案されている。
しかし、何れも最終段階の出力レベルを検出しながら調整・制御する構成ではないため、前述のように出力性能にばらつきがあるまま出荷され、実際にディスクの記録情報を再生してスピーカから放音させたとき、音声に歪みや劣化が生じる問題が残されていた。
【０００３】
また、上記ＡＶ装置おけるオーディオ信号の調整・制御等に関しては、各種の回路や装置が提案されており、例えば、乗算器を使用せずに構成し得る自動利得制御回路が知られている（特開平５−２０６７６９号公報参照）。
この自動利得制御回路は、アナログ入力信号をディジタル化するアナログディジタル変換手段と、このディジタル化された信号を置換し制御信号に応じて任意の方向に任意のビット数シフトするシフトレジスタとを設けている。
さらに、一定サンプル毎にこのディジタル信号の絶対値の平均を求める平均化手段と、この平均化された出力と目標値とを比較して前記シフトレジスタに対するシフト方向とシフト量とを示す制御信号を発生する制御手段とを備えている。
【０００４】
また、電圧電源の違いで生じる問題を改善するものとして、オーディオパワーコントロール方式が提案されている（特開平７−１９３４４４号公報参照）。
このものは、電池パック電圧を判別する判別手段と、電池パックの電圧に対応する制御データを予めメモリに記憶する手段と、前記電圧判別手段で判別した電圧に対応するメモリの制御データでオーディオパワーアンプ回路の可変アッテネータが最大オーディオパワー出力になるよう設定する手段とを備えている。
【０００５】
また、ステレオ音声出力におけるバランスコントロールで大きな入力ダイナミックレンジをとることを目的としたバランスコントロール回路も知られている（特開平８−１９１４９９号公報参照）。
この回路は、バランスコントロールを行うための制御電流を最小からセンターまでとセンターから最大までの２つに分けて制御電流の絶対値ををとり、前者をＲＣｈ制御電流としてＲＣｈバランスコントロール部に、後者をＬＣｈ制御電流としてＬＣｈバランスコントロール部にそれぞれ振り分けて出力する機能を有した変換器を設けた構成となっている。
【０００６】
また、本来の出力端子を特性変化回路の出力端子としても利用可能にすることを目的とした半導体集積回路およびその特性検査方法が知られている（特公平７−９９２１号公報参照）。
このものは、半導体集積回路が本来行うべき動作中に用いられる接続端子をバンドパスフィルタの特性を調整する際における出力端子として兼用する構成により、接続端子の数を低減するとともに、半導体集積回路に収納される特性変化回路としてバンドパスフィルタの特性を簡便に検査・調整できる。
【０００７】
さらに、自動的に予め設定した各帯域毎の音量を設定可能とするグラフィックイコライザ装置も提案されている（特開平２−４３３６１号公報参照）。
この装置は、各帯域毎の音質を設定するボリュームと、設定したボリュームの位置を記憶するためのデータ用ボリュームとをスイッチの切換えにより兼用する構成となっているため、ボリュームの構成が単純な単連のボリュームを使用できるうえ、帯域の分割を増加することによるボリューム増加でも省スペース化が可能になるというものである。
【０００８】
【発明が解決しようとする課題】
ところで、上記従来の各回路や装置等は、何れも最終段階の出力レベルを検出しながら調整や制御を行うものではないため、Ｄ／Ａコンバータ、アンプおよびフィルタを含むオーディオＤＡＣ回路に特有の出力性能におけるばらつきで、実際にディスクの記録情報を再生してスピーカから放音させたとき、音声に歪みや劣化が生じるという前述の問題を解消し得るものではなかった。
【０００９】
本発明は、上記課題に鑑みて創案されたもので、ＬチャンネルおよびＲチャンネルの出力端子から出力される音声信号のレベルを所定値に自動調整し、スピーカより放音される音声に歪みや劣化が生じる問題を防止することができるオーディオ装置を提供するオーディオ装置を提供することを目的としている。
【００１０】
【課題を解決するための手段】
上記目的を達成するため、本発明のうち請求項１に記載の発明は、ＬチャンネルおよびＲチャンネルのディジタル音声信号が入力するオーディオポートと、このオーディオポートから入力するディジタル音声信号をサンプリングするオーバーサンプリング回路と、このオーバーサンプリング回路の動作を制御するシリアルポートと、前記オーバーサンプリング回路からのディジタル音声信号をＬチャンネルとＲチャンネルとに分離するエンハンスマルチレベル回路と、このエンハンスマルチレベル回路からのＬチャンネルとＲチャンネルの各ディジタル音声信号をアナログ音声信号に変換するＤ／Ａコンバータと、このＤ／Ａコンバータからのアナログ音声信号を増幅するアンプと、このアンプの出力信号を濾波してＬチャンネルとＲチャンネルの音声信号出力端子に送出するフィルタとを有するオーディオＤＡＣ回路を備えたオーディオ装置において、メモリに予め記憶されたオーディオデータを読み出して前記オーディオポートおよびシリアルポートに対し出力する音声信号出力部と、装置全体を制御する制御手段と、前記制御手段から入力する制御信号に応じた段階的な数値を設定して出力するレジスタ設定部と、前記レジスタ設定部からの入力信号の数値に応じたビット数のディジタル信号を前記シリアルポートに対し出力して前記オーバーサンプリング回路の動作を制御するレジスタとを備え、前記制御手段は、電源投入であると判別したときに、前記音声信号出力部に対し前記メモリからオーディオデータを読み出して出力させ、この試験用信号として出力させたオーディオデータが前記オーディオＤＡＣ回路によって変換されたアナログ音声信号を、前記音声信号出力端子に接続されたＡ／Ｄ入力ポートから入力させてディジタル音声信号に変換し、この変換ディジタル音声信号のレベルと、自体のメモリに予め記憶されたディジタル基準値とを比較して、前記ディジタル基準値に対する前記変換ディジタル音声信号のレベルの差異を無くす数量データを示す前記制御信号を前記レジスタ設定部に対し出力することにより前記レジスタの設定を変更し、前記オーバーサンプリング回路を制御して前記音声信号出力端子に現れるアナログ音声信号のレベルを可変調整し、この調整制御を、前記音声信号出力端子に現れるアナログ音声信号が前記デジタル基準値に相当するレベルに達するまで継続するように構成されていることを特徴としている。
【００１１】
上記請求項１に係る発明のオーディオ装置では、オーディオＤＡＣ回路の回路素子の特性等に起因してオーディオＤＡＣ回路の入力電圧に対し音声信号出力端子側で電圧変動が生じた場合に、音声信号出力端子に現れるアナログ音声信号のレベルを予め設定した基準値になるように自動調整するので、スピーカから放音される音声に歪みや劣化が生じるのを確実に防止することができる。
【００１２】
また、請求項２に記載の発明は、前記制御手段が、前記ＬチャンネルおよびＲチャンネルの各音声信号出力端子にそれぞれ現れるアナログ音声信号を個別のＡ／Ｄ入力ポートを介し入力させて、ＬチャンネルおよびＲチャンネルのアナログ音声信号をそれぞれ変換した各ディジタル音声信号のレベルと前記ディジタル基準値とを個別に比較して、そのＬチャンネルとＲチャンネルとの各レベルの差異に応じて前記レジスタの設定を変更するように構成されていることを特徴としている。
【００１３】
上記請求項２に係る発明のオーディオ装置では、オーディオＤＡＣ回路に外部接続されたＬチャンネル側およびＲチャンネル側の各アンプ回路のゲインを決定する抵抗に若干のばらつきがあることに起因して、ＬチャンネルとＲチャンネルの各音声信号出力端子に現れるアナログ音声信号のレベルに差が生じた場合であっても、ＬチャンネルとＲチャンネルの各音声信号出力端子に現れるアナログ音声信号のレベルを予め設定した基準値になるように自動調整するので、ＬチャンネルとＲチャンネルの各アナログ音声信号を共に一定レベルに保つことができる。
【００１４】
また、請求項３に記載の発明は、前記ＬチャンネルおよびＲチャンネルの各音声信号出力端子と前記制御手段の各Ａ／Ｄ入力ポートとが配線基板に形成された配線パターンを介して接続されているとともに、前記配線パターンに切換スイッチが介挿接続され、前記制御手段が、前記音声信号出力部に対しオーディオデータを試験用信号として出力させる指令を行うタイミングで前記切換スイッチに対し前記配線パターンが通電状態となるように切り換える制御信号を出力し、且つ前記音声信号出力部に対しオーディオデータの出力停止の指令を行うタイミングで前記切換スイッチに対し前記配線パターンが非通電状態となるように切り換える制御信号を出力するように構成されていることを特徴としている。この発明のオーディオ装置では、電源投入時における音声信号出力端子に現れるアナログ音声信号のレベルを基準値に合致するよう自動調整するときのみ配線パターンを通電状態として、通常時に配線パターンを非通電状態に保持するので、配線基板に形成されている配線パターンが外部ノイズの影響を受けることがなく、スピーカから放音される音声がＳ／Ｎ比の悪化により歪むといったことを防止することができる。
【００１５】
【発明の実施の形態】
以下、本発明の実施の形態について、図示例を参照しながら説明する。
図１は、本発明のオーディオ装置に係るオーディオＤＡＣ回路の電気的構成を示すブロック線図、図２は、同オーディオ装置のオーディオＤＡＣ回路を示す電気回路図である。
このオーディオ装置は、普及型のＣＤプレイヤーに適用されたもので、ＣＤから再生したディジタル信号をオーディオＤＡＣ回路１がアナログの音声信号に変換してスピーカ側に送出し楽曲を放音させる構成になっている。
ＣＤプレイヤーは、サーボ制御部がモータおよび光ピックアップを制御してＣＤを回転駆動させ、このＣＤのトラックから光学的に読み取った記録情報を信号処理部に送出する。
【００１６】
この信号処理部は、入力する読取情報を信号処理し、抽出したディジタル信号をオーディオＤＡＣ回路１の入力端子１ｃ，１ｄ，１ｅ側に送出するようになっている。
なお、この入力端子１ｃ，１ｄ，１ｅには、音声信号出力部２４の出力も接続されている。
この音声信号出力部２４は、マイコン２４ａを備えており、制御部２５の出力が導かれている。そして、マイコン２４ａのメモリ（例えば、EEPROM）には、試験用信号としてオーディオＤＡＣ回路１の出力端子１９，２０側に所用レベルの信号電圧を出力するためのオーディオデータが予め記憶されている。
この音声信号出力部２４は、制御部２５からの指令を受けたとき、マイコン２４ａがメモリのオーディオデータを読み出して入力端子１ｃ，１ｄ，１ｅ側に送出するようになっている。
【００１７】
図１において、１はオーディオＤＡＣ回路であり、そのディジタル回路部とアナログ回路部とが電源回路２１からの供給電圧を受けて動作する。
２はオーディオシリアルポート（オーディオポート）であり、入力端子に前記信号処理部の出力側が接続されていて、この信号処理部からのディジタル信号が入力する。
また、このオーディオポート２には、ビットクロック信号と、Ｌ，Ｒチャンネルの切換タイミングのクロック信号とが導かれており、これらの信号に基づいて前記ディジタル信号を処理する。
３はシリアルコントロールポート（シリアルポート）であり、入力端子にレジスタ２３が接続されている。
このシリアルポート３は、レジスタ２３からの信号とともに、ラッチ信号およびクロック信号を受けてオーバーサンプリング回路５の動作を制御する。
【００１８】
４はシステムクロックマネージャー（システムクロック）であり、発振回路からのシステムクロック信号が導かれていて、このシステムクロック信号に従いシリアルポート３とオーバーサンプリング回路５の動作時間を制御する。
５はオーバーサンプリングディジタルフィルター（オーバーサンプリング回路）であり、出力がエンハンスマルチレベル回路６に接続されている。
このオーバーサンプリング回路５は、オーディオポート２からのディジタルオーディオ信号をサンプリング（標本化）して、エンハンスマルチレベル回路６に出力する。
【００１９】
６はエンハンスマルチレベル・デルタシグマ・モデュレーション（エンハンスマルチレベル回路）であり、ＬチャンネルおよびＲチャンネルの出力側にＤ／Ａ変換器７，８がそれぞれ接続されている。
このエンハンスマルチレベル回路６は、ディジタルオーディオ信号をＬチャンネルとＲチャンネルとに分離して、各Ｄ／Ａ変換器７，８にそれぞれ出力する。これらＤ／Ａ変換器７，８には、アンプ（ＡＭＰ）９，１０がそれぞれ接続されており、Ｄ／Ａ変換器７がＬチャンネルのディジタルオーディオ信号をアナログ音声信号に変換してアンプ９側に送出する。
一方、Ｄ／Ａ変換器８がＲチャンネルのディジタルオーディオ信号をアナログ音声信号に変換してアンプ１０側に送出する。
各アンプ９，１０には、ローパスフィルタ（ＬＰＦ）１１，１２がそれぞれ接続されており、アナログ音声信号を増幅して各ローパスフィルタ１１，１２に送出する。
【００２０】
これらローパスフィルタ１１，１２には、ピン端子１３，１４がそれぞれ接続されており、アナログ音声信号の不要な帯域をカットしてピン端子１３，１４側に送出する。
これらピン端子１３，１４は、音声信号出力端子であり、ピン端子１３側がＬチャンネルの出力用、ピン端子１４側がＲチャンネルの出力用となっている。
なお、このピン端子１３，１４には、図２に示すように、外付けのアンプ回路１５，１６がそれぞれ接続されている。
この各アンプ回路１５，１６は、ＬおよびＲチャンネルのアナログ音声信号を増幅するもので、各アンプ回路１５，１６の出力側にフィルタ１７，１８がそれぞれ接続されている。
各フィルタ１７，１８には、ジャック１９，２０が接続されており、増幅されたアナログ音声信号の不要な成分をカットしてジャック１９，２０側にそれぞれ送出する。
そして、これらジャック１９，２０には、図示省略しているがスピーカが接続されるようになっている。
【００２１】
２１は電源回路であり、入力端子に交流電圧が導かれ、変圧、整流、平滑後に３．３Ｖおよび５．０Ｖの各出力端子からレベルの異なる直流電圧を出力するようになっている。
３．３Ｖの出力端子には、前記オーディオＤＡＣ回路１の電圧入力端子１ａを介してディジタル回路側の各部が接続されている。
これにより、３．３Ｖの直流電圧がオーディオポート２、シリアルポート３、システムクロック４、オーバーサンプリング回路５、エンハンスマルチレベル回路６にそれぞれ供給される。
また、各Ｄ／Ａ変換器７，８のディジタル信号入力側に供給される。さらに、この直流電圧は、レジスタ設定部２２や音声信号出力部２４側にも供給される。一方、５．０Ｖの出力端子には、電圧入力端子１ｂを介してアナログ回路側の各部が接続されている。また、この直流電圧は、制御部２５側にも供給されるようになっている。
【００２２】
２２は、レジスタ設定部であり、制御部２５の出力が導かれていて、この制御部２５からの制御信号に応じた段階的な数値を設定し前記レジスタ２３を動作させる。
このレジスタ２３は、レジスタ設定部２２で設定される数値に応じたビット数のディジタル信号をシリアルポート３に送出する。
なお、前記レジスタ設定部は、オーディオ信号の１周期における振幅の最大値を“０ｄｂ”の利得としたとき、２５５ステップの段階的な設定が可能となっている。
本例では、“−３ｄｂ”のとき、ＬおよびＲチャンネルのアナログ音声出力端子であるジャック１９，２０側に現れる電圧が各２Ｖとなる設計にしてある。
【００２３】
２５はＣＰＵ，ＲＯＭ，ＲＡＭからなる制御部であり、前記回路各部とその機能に応じて一方向または双方向性に接続されている。
また、この制御部２５は、アナログ信号をディジタル信号に変換するＡ／Ｄ入力ポートを複数備えており、その１つのＡ／Ｄ入力ポート２５ｂとジャック１９側とが配線パターン１９ａにて接続されている。
なお、前記ＲＡＭは、ワーク用のメモリ２５ａであり、所定レベルのアナログ音声信号に対応するデータを基準値として予め記憶してある。
この基準値は、前記ジャック１９，２０側に現れる電圧と比較するためのもので、本例では、電圧２Ｖを示すディジタルデータを予め記憶している。
【００２４】
次に、上記ＣＤプレイヤーの出力調整動作について、図を参照しつつ説明する。
まず、ＣＤプレイヤーの電源を投入すると、図１に示す電源回路２１から図２の制御部２５に直流電圧が供給される。この制御部２５は、供給電圧を受けると電源投入と判断し、音声信号出力部２４に動作の開始指令を送出する。
すると、この音声信号出力部２４のマイコン２４ａが、そのメモリから試験用のオーディオデータを読み出してオーディオＤＡＣ回路１の入力端子１ｃ，１ｄ，１ｅ側に送出する。
このオーディオデータは、オーディオＤＡＣ回路１でアナログ信号に変換されて、ピン端子１３，１４から外付けのアンプ回路１５，１６側にそれぞれ伝送される。
【００２５】
この各アンプ回路１５，１６は、ＬおよびＲチャンネルのアナログ音声信号を増幅し、フィルタ１７，１８側に送出する。
各フィルタ１７，１８は、増幅されたアナログ音声信号の不要な成分をカットしてジャック１９，２０側にそれぞれ送出する。
このとき、アナログ音声信号は、配線パターン１９ａを介して制御部２５のＡ／Ｄ入力ポート２５ｂ側に導かれる。
これに伴い、制御部２５は、ジャック１９側から送出されてくるアナログ音声信号のレベルと、前記メモリ２５ａに記憶された基準値とを比較する。
【００２６】
そして、この基準値に対しアナログ音声信号に差異が生じていると、その差異をなくす数量のデータを制御信号としてレジスタ設定部２２側に出力する。
このレジスタ設定部２２は、制御信号に応じた段階的な数値を設定し前記レジスタ２３に送出する。
このレジスタ２３は、設定された数値に応じたビット数のディジタル信号をシリアルポート３に送出するので、レジスタ２３によりオーバーサンプリング回路５の動作が制御される。
このため、前記音声信号出力部２４から出力された試験用のオーディオデータがオーディオＤＡＣ回路１で段階的に変化し、かつアナログ音声信号に変換された後、ジャック１９，２０側に送出される。
よって、このジャック１９，２０側に現れるアナログ音声信号は、基準値に等しいレベルに自動調整される。
この後、制御部２５は、ジャック１９側からの入力信号が２Ｖを示す値となったとき、出力電圧の自動調整動作を終了する。
【００２７】
これにより、ＣＤプレイヤーの製作に伴う電圧変動の問題が解消される。すなわち、この種のＣＤプレイヤーは、オーディオＤＡＣ回路１への入力電圧に対し、スピーカの接続される出力側で電圧変動が生じ易いものである。
この電圧変動は、オーディオＤＡＣ回路１を含む回路素子の特性等に起因するもので、変動が著しいほど音声の歪みや劣化にも大きく影響する。従って、電圧変動は少ないほど好ましいが、通常は、±５％程度の許容範囲に設計している。
しかし、実際に製作された時点では、この範囲をはるかに越える電圧変動が生じる問題があった。
本例では、前述の如く回路の前段で試験信号を供給し、出力側で基準の電圧が得られるように予め自動調整していることから、使用に際しては電圧変動に影響されないものである。
【００２８】
図３は、実施の形態２に係るＣＤプレイヤーを示す電気回路図である。
このＣＤプレイヤーは、基本的構成が上記実施の形態１と同様であり、制御部２５の２つのＡ／Ｄ入力ポート２５ｂ，２５ｃにアナログ音声信号をそれぞれ導入するものである。
このものは、Ａ／Ｄ入力ポート２５ｂとジャック１９側とが配線パターン１９ａで接続され、Ａ／Ｄ入力ポート２５ｃとジャック２０とが配線パターン２０ａにて接続されている。
これにより、制御部２５が前述のように音声信号出力部２４へ動作開始指令を送出したとき、オーディオＤＡＣ回路１を介してジャック１９，２０側にそれぞれ出力されるアナログ音声信号を一定にできる。
【００２９】
つまり、オーディオＤＡＣ回路１のピン端子１３，１４から出力されるアナログ音声信号が外付けのアンプ回路１５，１６側に入力したとき、これらのアンプ回路１５，１６のゲインを決定する抵抗に若干のばらつきがあるために、ジャック１９，２０側に現れるＬおよびＲチャンネルのアナログ音声信号に出力差が生じることがある。
本例では、制御部２５がジャック１９および２０のアナログ音声出力をそれぞれ導入し、メモリの基準値と個別に比較したうえ、その差異に応じてレジスタの設定を変更する。
このオーディオＤＡＣ回路１は、チャンネル各個にレジスタを設定可能な構成となっているので、後段のジャック１９，２０側におけるアナログ音声信号の出力を一定レベルに保つことができるものである。
【００３０】
図４は、実施の形態３に係るＣＤプレイヤーを示す電気回路図である。
このＣＤプレイヤーは、制御部２５のＡ／Ｄ入力ポート２５ｂとジャック１９側との配線パターン１９ａにスイッチ２６を設けたものである。
このスイッチ２６は、ジャック１９側に固定接点２６ａが接続され、Ａ／Ｄ入力ポート２５ｂ側に可動接点２６ｂが接続されている。そして、この可動接点２６ｂが、制御部２５の制御信号によりオン・オフ動作するようになっている。
この制御部２５は、前記音声信号出力部２４へ動作開始指令を送出して試験信号を出力させるとき、スイッチ２６をオン動作させ、試験信号を出力しないときはスイッチ２６をオフ動作させる。
すると、試験信号を出力した後、ジャック１９，２０側に現れるアナログ音声信号のレベルを自動調整するときのみ配線パターン１９ａが通電状態となり、通常は回路と接断されている。
このため、ＣＤプレイヤーの配線基板に形成された配線パターン１９ａが外部ノイズの影響を受けることなく、Ｓ／Ｎ比の悪化により音声が歪む問題も回避される。
【００３１】
図５は、実施の形態４に係るＣＤプレイヤーを示す電気回路図である。
このＣＤプレイヤーは、制御部２５のＡ／Ｄ入力ポート２５ｂ，２５ｃとジャック１９，２０側との各配線パターン１９ａ，２０ａにスイッチ２７，２８をそれぞれ設けたものである。
スイッチ２７は、ジャック１９側に固定接点２７ａが接続され、Ａ／Ｄ入力ポート２５ｂ側に可動接点２７ｂが接続されている。また、スイッチ２８は、ジャック２０側に固定接点２８ａが接続され、Ａ／Ｄ入力ポート２５ｃ側に可動接点２８ｂが接続されている。
そして、これらの可動接点２７ｂ，２８ｂが、制御部２５の制御信号によりオン・オフ動作するようになっている。
【００３２】
この制御部２５は、前記音声信号出力部２４へ動作開始指令を送出して試験信号を出力させるとき、スイッチ２７，２８をオン動作させ、試験信号を出力しないときはスイッチ２７，２８をオフ動作させる。
すると、試験信号を出力した後、ジャック１９，２０側に現れるアナログ音声信号のレベルを自動調整するときのみ配線パターン１９ａ，２０ａが通電状態となり、通常は回路と接断されている。
このため、ＣＤプレイヤーの配線基板に形成された配線パターン１９ａ，２０ａが外部ノイズの影響を受けることなく、Ｓ／Ｎ比の悪化により音声が歪む問題も回避される。
【００３３】
図６は、実施の形態５に係るＣＤプレイヤーを示す電気回路図である。
このＣＤプレイヤーは、制御部２５のＡ／Ｄ入力ポート２５ｂとジャック１９，２０側との各配線パターン１９ａ，２０ａに切換スイッチ２９を設けたものである。
この切換スイッチ２９は、ジャック１９側の配線パターン１９ａに第１固定接点２９ａが接続され、ジャック２０側の配線パターン２０ａに第２固定接点２９ｂが接続され、制御部２５のＡ／Ｄ入力ポート２５ｂ側に可動接点２９ｃが接続されている。
そして、この可動接点２９ｃが、制御部２５の制御信号により第１固定接点２９ａまたは第２固定接点２９ｂの何れかに切換えられるようになっている。
【００３４】
この制御部２５は、前記音声信号出力部２４へ動作開始指令を送出して試験信号を出力させるとき、切換スイッチ２９の可動接点２９ｃを第１または第２固定接点２９ａ，２９ｂの何れかに切換える。
すると、試験信号を出力した後、ジャック１９または２０側に現れるアナログ音声信号のレベルを自動調整するときのみ配線パターン１９ａもしくは２０ａが通電状態となり、通常は回路と接断されている。
このため、配線基板上の配線パターン１９ａ，２０ａが外部ノイズの影響を受け難くなり、Ｓ／Ｎ比の悪化で音声が歪む問題が回避される。
【００３５】
図７は、実施の形態６に係るＣＤプレイヤーを示す電気回路図である。
このＣＤプレイヤーは、制御部２５のＡ／Ｄ入力ポート２５ｂとジャック１９，２０側との各配線パターン１９ａ，２０ａに切換スイッチ３０を設けたものである。
この切換スイッチ３０は、ジャック１９側の配線パターン１９ａに第１固定接点３０ａが接続され、ジャック２０側の配線パターン２０ａに第２固定接点３０ｂが接続され、アース側に第３固定接点３０ｃが接続されている。
また、制御部２５のＡ／Ｄ入力ポート２５ｂ側に可動接点３０ｄが接続されている。
そして、この可動接点３０ｄが、制御部２５の制御信号により第１、第２または第３固定接点３０ａ，３０ｂ，３０ｃの何れかに切換えられるようになっている。
【００３６】
この制御部２５は、前記音声信号出力部２４へ動作開始指令を送出して試験信号を出力させるとき、切換スイッチ３０の可動接点３０ｄを第１または第２固定接点３０ａ，３０ｂの何れかに切換える。
そして、この自動調整が終了すると、可動接点３０ｄを第３固定接点３０ｃ側に切換えてアース側に接続する。
これにより、試験信号を出力した後、ジャック１９または２０側に現れるアナログ音声信号のレベルを自動調整するときのみ配線パターン１９ａもしくは２０ａが通電状態となり、制御部２５側の配線パターンも通常はアース側に接続されている。
このため、配線基板上の配線パターン１９ａ，２０ａが外部ノイズの影響を受けることなく、Ｓ／Ｎ比の悪化により音声の歪む問題が回避される。
【００３７】
図８は、実施の形態６に係るＣＤプレイヤーを示す電気回路図である。
このＣＤプレイヤーは、制御部２５のＡ／Ｄ入力ポート２５ｂとジャック１９，２０側との各配線パターン１９ａ，２０ａに切換スイッチ３１および補助スイッチ３２を設けたものである。
切換スイッチ３１は、ジャック１９側の配線パターン１９ａに第１固定接点３１ａが接続され、ジャック２０側の配線パターン２０ａに第２固定接点３１ｂが接続され、可動接点３１ｃに補助スイッチ３２の固定接点３２ａが接続されている。
また、この補助スイッチ３２の可動接点３２ｃが、制御部２５のＡ／Ｄ入力ポート２５ｂ側に接続されている。
そして、切換スイッチ３１の可動接点３１ｃが、制御部２５の制御信号により第１固定接点３１ａまたは第２固定接点３１ｂの何れかに切換えられ、補助スイッチ３２が制御部２５の制御信号によりオン・オフ動作するようになっている。
【００３８】
この制御部２５は、前記音声信号出力部２４へ動作開始指令を送出して試験信号を出力させるとき、補助スイッチ３２をオン動作させ、かつ切換スイッチ３１の可動接点３１ｃを第１または第２固定接点３１ａ，３１ｂの何れかに切換える。
そして、この自動調整が終了すると、補助スイッチ３２をオフ動作させる。
すると、試験信号を出力した後、ジャック１９または２０側に現れるアナログ音声信号のレベルを自動調整するときのみ配線パターン１９ａもしくは２０ａが通電状態となり、通常は回路と接断されている。
このため、配線基板上の配線パターン１９ａ，２０ａが外部ノイズの影響を受けることなく、Ｓ／Ｎ比の悪化により音声の歪む問題が回避される。
【００３９】
【発明の効果】
以上説明したように、本発明のうら請求項１に記載の発明は、Ｄ／Ａコンバータ、アンプおよびフィルタを含むオーディオＤＡＣ回路を構成する回路素子の特性等に起因してオーディオＤＡＣ回路の入力電圧に対し音声信号出力端子側で電圧変動が生じた場合に、音声信号出力端子に現れるアナログ音声信号のレベルを予め設定した基準値になるように自動調整するので、スピーカから放音される音声に歪みや劣化が生じるのを確実に防止できる。
【００４０】
また、請求項２に記載の発明は、オーディオＤＡＣ回路に外部接続されたＬチャンネル側およびＲチャンネル側の各アンプ回路のゲインを決定する抵抗に若干のばらつきがあることに起因して、ＬチャンネルとＲチャンネルの各音声信号出力端子に現れるアナログ音声信号のレベルに差が生じた場合であっても、ＬチャンネルとＲチャンネルの各音声信号出力端子に現れるアナログ音声信号のレベルを予め設定した基準値になるように自動調整するので、ＬチャンネルとＲチャンネルの各アナログ音声信号を共に一定レベルに保つことができる。また、請求項３に記載の発明は、電源投入時における音声信号出力端子に現れるアナログ音声信号のレベルを基準値に合致するよう自動調整するときのみ配線パターンを通電状態として、通常時に配線パターンを非通電状態に保持するので、配線基板に形成されている配線パターンが外部ノイズの影響を受けることがなく、スピーカから放音される音声がＳ／Ｎ比の悪化により歪むといったことを防止することができる。
【図面の簡単な説明】
【図１】本発明の実施の形態１に係るオーディオ装置の電気的構成を示すブロック線図である。
【図２】同オーディオ装置のオーディオＤＡＣ回路を示す電気回路図である。
【図３】本発明の実施の形態２に係るオーディオ装置の電気的構成を示すブロック線図である。
【図４】本発明の実施の形態３に係るオーディオ装置の電気的構成を示すブロック線図である。
【図５】本発明の実施の形態４に係るオーディオ装置の電気的構成を示すブロック線図である。
【図６】本発明の実施の形態５に係るオーディオ装置の電気的構成を示すブロック線図である。
【図７】本発明の実施の形態６に係るオーディオ装置の電気的構成を示すブロック線図である。
【図８】本発明の実施の形態７に係るオーディオ装置の電気的構成を示すブロック線図である。
【符号の説明】
１  オーディオＤＡＣ回路
２  オーディオポート
３  シリアルポート
５  オーバーサンプリング回路
６  エンハンスマルチレベル回路
１９  音声信号出力端子
２０  音声信号出力端子
２２  レジスタ設定部
２３  レジスタ
２４  音声信号出力手段
２４ａ  メモリ
２５  制御手段
２５ａ  メモリ
【図１】
0003661939.tif 000002
【図２】
0003661939.tif 000003
【図３】
0003661939.tif 000004
【図４】
0003661939.tif 000005
【図５】
0003661939.tif 000006
【図６】
0003661939.tif 000007
【図７】
0003661939.tif 000008
【図８】
0003661939.tif 000009